(57)【特許請求の範囲】
【請求項１】
マット部(21)とフレーム部(22)とを有するベッド本体(20)と、相互に平行にかつベッド幅方向に配置される複数本の膨縮自在なエアー袋体（１）と、作動させる上記エアー袋体(１)を選択するとともに該エアー袋体（１）へ所定時間（ｔ）毎に圧縮エアーを供給排気させて該エアー袋体（１）を膨張・収縮させるエアー供給排気手段（２）と、該エアー供給排気手段（２）の制御を行う制御手段（３）と、を備え、
面状ファスナ(５)の掛止部(５ａ)を、上記エアー袋体(１)に付設するとともに、上記面状ファスナ(５)の被掛止部(５ｂ)を、上記マット部(21)に長手方向へ縦断するように付設して、各上記エアー袋体(１)を、上記マット部(21)に、上記面状ファスナ(５)にて取着自在に構成し、
さらに、上記エアー袋体（１）は、膨張状態が円柱形となるように形成されるとともに、被介護者（Ａ）の仰臥状態での脹脛部（ａ），大腿部（ｂ），腰部（ｃ），背中部（ｄ），後頭下部（ｅ）に配置されて、上記被介護者（Ａ）の床ずれ発生予想部位としての両踵部（ｆ），骨盤部（ｇ），肩甲骨部（ｈ），後頭上部（ｉ）を上記所定時間（ｔ）毎に上昇・下降させるように構成し、
上記大腿部（ｂ）及び上記腰部（ｃ）の上記エアー袋体（１）は、上記被介護者（Ａ）のオムツ交換時の腰部持ち上げ作動用に兼用されていることを特徴とするベッド。
【請求項２】
マット部(21)とフレーム部(22)とを有するベッド本体(20)と、相互に平行にかつベッド幅方向に配置される複数本の膨縮自在なエアー袋体（１）と、作動させる上記エアー袋体(１)を選択するとともに該エアー袋体（１）へ所定時間（ｔ）毎に圧縮エアーを供給排気させて該エアー袋体（１）を膨張・収縮させるエアー供給排気手段（２）と、該エアー供給排気手段（２）の制御を行う制御手段（３）と、を備え、
面状ファスナ(５)の掛止部(５ａ)を、上記エアー袋体(１)に付設するとともに、上記面状ファスナ(５)の被掛止部(５ｂ)を、上記マット部(21)に長手方向へ縦断するように付設して、各上記エアー袋体(１)を、上記マット部(21)に、上記面状ファスナ(５)にて取着自在に構成し、
さらに、上記エアー袋体（１）は、膨張状態が円柱形となるように形成されるとともに、被介護者（Ａ）の仰臥状態での脹脛部（ａ），大腿部（ｂ），腰部（ｃ），背中部（ｄ），後頭下部（ｅ）の各々に左右一対ずつ配置されて、上記被介護者（Ａ）の床ずれ発生予想部位としての両踵部（ｆ），骨盤部（ｇ），肩甲骨部（ｈ），後頭上部（ｉ）を上記所定時間（ｔ）毎に上昇・下降させるように構成し、
左右一対の上記エアー袋体(１)(１)は一体状となって、連結エアー袋体(11)を構成するとともに、該左右一対の該エアー袋体 (１)(１) の夫々が独立して膨縮自在になるように構成され、
上記大腿部（ｂ）及び上記腰部（ｃ）の上記エアー袋体（１）は、上記被介護者（Ａ）のオムツ交換時の腰部持ち上げ作動用に兼用されていることを特徴とするベッド。
【請求項３】
複数本の上記エアー袋体（１）のうち、上記後頭下部（ｅ）の該エアー袋体（１）は大径、上記大腿部（ｂ），上記腰部（ｃ），上記背中部（ｄ）の該エアー袋体（１）は中径、上記脹脛部（ａ）の該エアー袋体（１）は小径であり、
上記後頭下部（ｅ）の該エアー袋体（１）は、上記被介護者（Ａ）の上半身起こし用に兼用されている請求項１又は２記載のベッド。
【請求項４】
隣合う上記エアー袋体 (１)(１) 間に、遠赤外線発生部（４）を配置した請求項１，２又は３記載のベッド。
【請求項５】
上記所定時間（ｔ）が、15分〜30分の範囲に設定されている請求項１，２，３又は４記載のベッド。
【請求項６】
各々の上記被介護者（Ａ）に合わせて予め有資格者（Ｂ）により入力されて作成された治療データを記録する記録片（６）と、該記録片（６）が接近又は挿入されることで該記録片（６）の上記治療データを読取可能なデータ読取部（７）と、を備え、
上記制御手段（３）が、該データ読取部（７）にて読み取った該記録片（６）の該治療データに基いて上記エアー袋体（１）の作動制御を行うように構成した請求項１，２，３，４又は５記載のベッド。
【発明の詳細な説明】
【技術分野】
【０００１】
本発明は、ベッドに係り、より詳しくは、床ずれ防止機能を備えたベッドに関する。
【背景技術】
【０００２】
一般に、健康な人は、睡眠中に数多くの体位の変換を行っている。例えば、８時間の睡眠時間が普通とすると、その間に、健康な人々は約60回体位の変換を行っている。この体位の変換は、生理的なものであって体動と呼ばれている。そして、「同じ姿勢でいるのは１５分程度が限度」というのが、動物である人間の体動の原理である。
重い怪我、病気で寝たきり状態となった人や寝たきり老人等の被介護者は、この体動ができず、同じ姿勢をとりつづけることになる。同じ姿勢で放置していると局所の循環不全、つまり床ずれが生じ、この床ずれから感染症を招来することになる。特に、高齢の失禁被介護者では、命が短くなる虞れがある。
【０００３】
ところで、本発明者は72歳の精神科医であり、以前から寝たきり老人の介護の大切さ，大変さについて発言してきた。
さらには寝たきり状態から床ずれを生じ感染症で亡くなった母親の介護と治療の体験から准看護学校と看護学校を設立し、校長として准看の生徒達に彼らの介護に対する社会的責任と重要性についても絶えず教えてきた。
しかしながら、当時の医療界も看護界も18世紀型治療医学の概念のままで人生は50歳台で終わりという考えしかなく、とても現在のような超高齢化時代の概念（無病で健康で長生き、末はポックリ死）はなかった。このころアメリカに於いてもジョンホプキンス大学医学部でさえ介護は医学の対象でなくナーシングホームに移され医師や看護婦（士）の介入する分野ではないと考えられていた。
しかしながら、ただ死んでいくだけの寝たきり状態でも医師や看護婦（士）の積極的な治療の介入により回復への実証に成功し学会報告の結果、米国議会の公衆衛生行政が 180度転換されて、この介護の分野も医療の一部であるとの定義づけがなされ、医療分野への編入が行われた。
この当時、日本では介護は特殊老人ホームのみで、ここも医師は必要なく看護婦（士）の常勤も予算もなかった。ここへの入所は福祉事務所の判断により捨て場所に困った処分扱いの死出の旅路の入所のみであった。寝たきり老人の入所者は当時11万人でいわば現代版老人のアウシュビッツの観を呈していた。
ところが、あっという間に現在は介護保険の適用者だけでも 400万人を越えて世界一の超高齢化大国になった。
最近日本でも、医療の介入により病院と一般的な老人ホームとの中間施設である老健施設が現れてきたが中途半端な施設基準の為、特殊養護老人ホームは東京や大阪でさえ入居待機者は２年待ちという状態となっている。というのも、寝たきり状態の老人は年々増加し続けているのに対して医師の数は27万人程度であり、医師を補助して看護する看護婦（士）の人数も足らない。政府には予算もない。何故かなれば看護協会は看護婦（士）の人数を医師の人数と同じくすることを目標として政治活動をしているからで、それが現実とのずれを生じているのである。つまり現場では 400万人の被介護者に対し、医師、看護婦（士）、またよく訓練された介護者の絶対数も不足しているのである。
【０００４】
また、行政側の思惑と悲惨な現場との認識と常識のずれにより、適切な看護介護制度が実施されず、この分野の医療教育も進んでいないという実態がある。具体的に説明すると、行政側は、「病気をすれば寝ているべき、手術後は安静にしているべき」というような18世紀医学を未だに念頭において介護制度を設けているからである。従って、今日の老人ホームの現状は寝たきり老人の30％以上が拘束具にてベッドにくくりつけられている状態にある。
介護は、産婦やまた助産婦として新生児をお世話する看護教育のみを受けて試験委員となり問題作成している幹部看護婦（士）たちにとって体重が自分たちより重い高齢者群の介護はタブーとしている看護労働者扱いそのものであり、ましてや、本音では限りなく医師の医療行為に近づきたい看護協会の理想像とは異なり、失禁老人の夢のない絶えざるオムツの交換やさらには床ずれ防止の為、24時間の重労働を強いられているのが実情である。これらの行為は肉親であっても容易になしえる事ではないのも事実であるが、このように18世紀医学の認識と常識は、現在の高齢者介護の医療の現場に於いて老人とその家族の満足は成り立たない。このように行政側の思惑と現場との乖離により、要求されているものとは大幅にずれた介護制度が実施され、実効を得られないまま結局は破綻し、介護予防の幕開けとなった。
【０００５】
上記のように、各種老人施設では、介護者の質と数の不足が深刻となっている。そこで従来、介護者の労働をなるべく軽減することが可能な、寝たきり状態の被介護者用のベッドが種々提案されている（例えば、特許文献１参照）。
特許文献１では、「ベッド本体が、背もたれ部と座部と脚受け部と足載せ部に分割されると共にこれら各部を互いに回転自在に枢着したマット部材を備え、腰掛け状とベッド状とに変形する介護用のベッドに於いて、ベッド本体をマット部材と共に昇降させる昇降装置を設けたもの」が開示されている。特許文献１では、昇降装置にてベッド状から腰掛け状に変形させ、介護者が被介護者を搬送ベッドや車椅子へ移動させる際の労働を軽減するようにしている。
【特許文献１】特開２００４−１６３７０号公報
【発明の開示】
【発明が解決しようとする課題】
【０００６】
しかしながら、上記特許文献１に開示されたような従来の介護用のベッドでは、腰掛け状とベッド状との２つの状態に変形できても、被介護者の床ずれ防止機能は備わっていなかった。
また、この従来の介護用のベッドでは、昇降装置は、モータと、リンク機構と、を用いて構成されており、ベッドの昇降装置の構造が複雑であった。
そこで、本発明は、簡単な構成にて、寝たきり状態となっている各被介護者の床ずれを防止することができると共に、介護者の労働を軽減し得るベッドを提供することを目的とする。
また、人手不足で放置されることによる、被介護者の床ずれの問題を解消し、さらに、行政側の思惑と現場との認識，常識のずれを補うベッドを提供することを目的とする。
【課題を解決するための手段】
【０００７】
上記目的を達成するために、本発明に係るベッドは、マット部とフレーム部とを有するベッド本体と、相互に平行にかつベッド幅方向に配置される複数本の膨縮自在なエアー袋体と、作動させる上記エアー袋体を選択するとともに該エアー袋体へ所定時間毎に圧縮エアーを供給排気させて該エアー袋体を膨張・収縮させるエアー供給排気手段と、該エアー供給排気手段の制御を行う制御手段と、を備え、面状ファスナの掛止部を、上記エアー袋体に付設するとともに、上記面状ファスナの被掛止部を、上記マット部に長手方向へ縦断するように付設して、各上記エアー袋体を、上記マット部に、上記面状ファスナにて取着自在に構成し、さらに、上記エアー袋体は、膨張状態が円柱形となるように形成されるとともに、被介護者の仰臥状態での脹脛部、大腿部、腰部、背中部、後頭下部に配置されて、上記被介護者の床ずれ発生予想部位としての両踵部，骨盤部，肩甲骨部，後頭上部を上記所定時間毎に上昇・下降させるように構成し、上記大腿部及び上記腰部の上記エアー袋体は、上記被介護者のオムツ交換時の腰部持ち上げ作動用に兼用されている。
【０００８】
また、マット部とフレーム部とを有するベッド本体と、相互に平行にかつベッド幅方向に配置される複数本の膨縮自在なエアー袋体と、作動させる上記エアー袋体を選択するとともに該エアー袋体へ所定時間毎に圧縮エアーを供給排気させて該エアー袋体を膨張・収縮させるエアー供給排気手段と、該エアー供給排気手段の制御を行う制御手段と、を備え、面状ファスナの掛止部を、上記エアー袋体に付設するとともに、上記面状ファスナの被掛止部を、上記マット部に長手方向へ縦断するように付設して、各上記エアー袋体を、上記マット部に、上記面状ファスナにて取着自在に構成し、さらに、上記エアー袋体は、膨張状態が円柱形となるように形成されるとともに、被介護者の仰臥状態での脹脛部、大腿部、腰部、背中部、後頭下部の各々に左右一対ずつ配置されて、上記被介護者の床ずれ発生予想部位としての両踵部，骨盤部，肩甲骨部，後頭上部を上記所定時間毎に上昇・下降させるように構成し、左右一対の上記エアー袋体は一体状となって、連結エアー袋体を構成するとともに、該左右一対の該エアー袋体の夫々が独立して膨縮自在になるように構成され、上記大腿部及び上記腰部の上記エアー袋体は、上記被介護者のオムツ交換時の腰部持ち上げ作動用に兼用されている。
【０００９】
また、複数本の上記エアー袋体のうち、上記後頭下部の該エアー袋体は大径、上記大腿部、上記腰部、上記背中部の該エアー袋体は中径、上記脹脛部の該エアー袋体は小径であり、上記後頭下部の該エアー袋体は、上記被介護者の上半身起こし用に兼用されている。
また、隣合う上記エアー袋体間に、遠赤外線発生部を配置した。
また、上記所定時間が、15分〜30分の範囲に設定されている。
また、各々の上記被介護者に合わせて予め有資格者により入力されて作成された治療データを記録する記録片と、該記録片が接近又は挿入されることで該記録片の上記治療データを読取可能なデータ読取部と、を備え、上記制御手段が、該データ読取部にて読み取った該記録片の該治療データに基いて上記エアー袋体の作動制御を行うように構成した。
【発明の効果】
【００１０】
本発明は、次のような著大な効果を奏する。
本発明に係るベッドは、健康な人の体動をまねて所定時間毎に寝たきり状態の被介護者の体位の変換を行うことができ、床ずれの発生を防止することができる。
また、エアー袋体を、膨張状態が円柱形となるように形成することによって、エアー袋体を球形や短冊形に形成する場合と比較して、形状が単純であり、安価に製作できる。
また、被介護者の床ずれ好発部位に広く対応して床ずれ防止の機能を働かせ得る。
【００１１】
また、食事，ＴＶ観賞，オムツ交換の度に被介護者の身体を持ち上げねばならなかった従来とは異なり、介護者は被介護者の身体を持ち上げる必要がない。これにより、介護者の労働を軽減することができる。
また、被介護者の身体を持ち上げる際に、従来のようなモータやリンク機構を必要とせず、構造が簡単である。
また、床ずれ防止機能とオムツ交換機能、若しくは、床ずれ防止機能と上半身起こし機能というように、同じエアー袋体に複数の機能を盛り込むことによって、エアー袋体をより活用でき、ベッドの全体構造も簡単になる。
【００１２】
また、隣合うエアー袋体間に、遠赤外線発生部を配置することによって、被介護者の交感神経と副交感神経とのバランスを調節して被介護者にリラックス効果を与え、被介護者のストレスを和らげることができる。
また、所定時間が、15分〜30分の範囲に設定されているので、人間の体動の原理に基づいて適切に被介護者の体位の変換を行うことができ、床ずれの発生を効果的に防止し得る。
また、各床ずれ発生予想部位には、エアー袋体が左右一対配置され、左右一対のエアー袋体の夫々が独立して膨縮自在になるように構成するので、左右一対のエアー袋体の一方を収縮させると共に他方を膨張させることで、被介護者の身体を左右に容易に傾けることができる。これにより、被介護者の身体に付着した汚れをとるために介護者が被介護者の身体を濡れタオルで拭く等する際に、介護者の労働を軽減することができる。
また、医療機具として、被介護者の好みに合い、かつ、専門的に判断しても適切な条件でエアー袋体を作動させることができ、被介護者の床ずれの発生を確実に防止できる。
【発明を実施するための最良の形態】
【００１３】
以下、実施の形態を示す図面に基づき本発明を詳説する。
図１〜図４に於て、本発明の第１実施形態に係るベッドを示す。本発明に係るベッドは、例えば総合病院や老人ホーム等に設置され、重病人や老人等の身体不自由で寝たきり状態となっている被介護者Ａの床ずれ防止のために、主として使用される。
第１実施形態のベッドは、マット部21とフレーム部22とを有するベッド本体20のベッド幅方向に相互に平行に配置される複数本の膨縮自在なエアー袋体１…と、エアー袋体１…へ所定時間ｔ毎に圧縮エアーを供給排気させてエアー袋体１を膨張・収縮させるエアー供給排気手段２と、エアー供給排気手段２の制御を行う制御手段３と、を備えている。
【００１４】
エアー袋体１…は、膨張状態が円柱形となるように形成され、主として、被介護者Ａの床ずれ発生予想部位を所定時間ｔ毎に上昇・下降させて床ずれを防止するために使用するものである。各エアー袋体１は、ゴム等の変形容易な材質にて形成されており、筒部８と、筒部８の左右の開口端を塞ぐ端壁部９，９と、を有している。エアー袋体１の一方側の端壁部９には、エアー供給排気手段２につながる空圧ライン39の端部が接続されている。
エアー袋体１…は、（例えば）低反発素材にて形成されたマット部21の上面に着脱自在に取着されている。具体的には、各エアー袋体１は、マット部21に、面状ファスナ５にて取着されるようになっている。面状ファスナ５の掛止部５ａは、エアー袋体１に付設されており、面状ファスナ５の被掛止部５ｂは、マット部21に付設されている。面状ファスナ５の被掛止部５ｂは、マット部21の長手方向へ縦断するように設けられており、マット部21の長手方向の好きな位置に各エアー袋体１を取着することを可能としている。
【００１５】
第１実施形態では、エアー袋体１…の配置部位は、被介護者Ａの仰臥状態での脹脛部ａ，大腿部ｂ，腰部ｃ，背中部ｄ，後頭下部ｅの五箇所から成っている（夫々のエアー袋体１を、１ａ，１ｂ，１ｃ，１ｄ，１ｅとする）。後頭下部ｅのエアー袋体１ｅは、被介護者Ａの上半身起こし用に兼用され、大腿部ｂ及び腰部ｃのエアー袋体１ｂ，１ｃは、被介護者Ａのオムツ交換時の腰部持ち上げ作動用に兼用されるようになっている。
また、複数本のエアー袋体１…のうち、後頭下部ｅのエアー袋体１は大径（例えば直径50cm）、大腿部ｂ，腰部ｃ，背中部ｄのエアー袋体１は中径（例えば直径40cm）、脹脛部ａのエアー袋体１は小径（例えば直径30cm）となっている。
ところで、一般的に、被介護者Ａの床ずれ発生予想部位（床ずれの好発部位）としては、両踵部ｆ，骨盤部ｇ，肩甲骨部ｈ，後頭上部ｉが挙げられる。特に、床ずれの初発部位は両踵部ｆとされている。第１実施形態では、被介護者Ａの脹脛部ａ，大腿部ｂ，腰部ｃ，後頭下部ｅに配置されたエアー袋体１が、夫々、被介護者Ａの両踵部ｆ，骨盤部ｇ，肩甲骨部ｈ，後頭上部ｉを所定時間ｔ毎に上昇・下降させるようになっている。
【００１６】
エアー供給排気手段２は、ベッド本体20の脇に一つのユニットとして設置されている。
このエアー供給排気手段２は、エアコンプレッサ35，エアタンク36，レギュレータ37，電磁弁38等で構成されている。エアー供給排気手段２と各エアー袋体１とは、上述の空圧ライン39にて接続されている。
制御手段３は、ベッド本体20の脇に設置される所謂パソコンとなっている（この制御手段３についての詳細は後述する）。
【００１７】
上述のように、エアー袋体１…は、主に床ずれ防止のために使用されるものであるが、第１実施形態に係るベッドでは、後頭下部ｅのエアー袋体１ｅは、被介護者Ａの上半身起こし用に兼用され、大腿部ｂ及び腰部ｃのエアー袋体１ｂ，１ｃは、被介護者Ａのオムツ交換時の腰部持ち上げ作動用に兼用されるようになっている。
また、第１実施形態に係るベッドでは、エアー袋体１…以外にも腰痛予防，血行促進，ストレス解消等のため、温熱機能が付加されている。
温熱機能について説明すると、第１実施形態では、複数の遠赤外線発生部４…を備えている。遠赤外線発生部４…は、遠赤外線輻射熱を利用する板状のヒーターであり、例えば波長９〜10μｍの遠赤外線が使用されている。また、これらの遠赤外線発生部４…は、隣合うエアー袋体１，１間に配置されている。
【００１８】
次に、ベッド本体20の脇に設置される制御手段３について詳説する。
この制御手段３は、被介護者Ａのリハビリの指導を行ったり治療を行ったりする専門のインストラクタ，マッサージ師，医師等の有資格者Ｂによって、操作される。制御手段３は、エアー袋体１…にエアーを供給するエアー供給排気手段２と電気的に接続され、エアー供給排気手段２の制御を行っている。また、制御手段３は、遠赤外線発生部４…とも電気的に接続され、これらの制御を行っている。
具体的に述べると、エアー供給排気手段２については、作動させるエアー袋体１の選択，エアー圧力の強弱，所定時間ｔ（エアー袋体１…へ圧縮エアーを送る時間間隔）等の制御を行っている。第１実施形態では、所定時間ｔが、15分〜30分の範囲に設定されている。また、遠赤外線発生部４については、作動させる遠赤外線発生部４の選択，温度，作動時間等の制御を行っている。
また、制御手段３の表示部３ａでは、図５に示すように、有資格者Ｂがエアー供給排気手段２，遠赤外線発生部４…の作動状況や設定状況を確認するようになっている。
【００１９】
ここで、第１実施形態に係るベッドは、各々の被介護者Ａに合わせて予め有資格者Ｂにより入力されて作成された治療データを記録する記録片６と、記録片６が接近又は挿入されることで記録片６の治療データを読取可能なデータ読取部７と、を備えている。
治療データは、上述したエアー供給排気手段２，遠赤外線発生部４…の設定条件と、患者情報と、から成っている。患者情報としては、例えば会員番号，氏名，年齢，性別，生年月日，血液型，職業，住所，電話番号，現在患っている病気等の情報が挙げられる。
記録片６は、例えばＩＣメモリチップ，ＩＣメモリカード，磁気カード，光磁気カード等から成る。
また、データ読取部７は、制御手段３と電気的に接続されており、記録片６の治療データを制御手段３に送るようになっている。そして、制御手段３が、データ読取部７にて読み取った記録片６の治療データに基いて、（エアー供給排気手段２を介して）エアー袋体１…の作動制御を行うように、構成されている。
【００２０】
次に、図２、及び、図６〜図９を参照して、本発明の第１実施形態に係るベッドの動作について説明する。
まず、図２及び図６に示すように、被介護者Ａがマット部21に仰臥した状態に於て、エ
アー袋体１…の配置部位が、被介護者Ａの脹脛部ａ，大腿部ｂ，腰部ｃ，背中部ｄ，後頭下部ｅの五箇所となるように、エアー袋体１…の位置調整をする。この位置調整は、各エアー袋体１がマット部21に面状ファスナ５にて取着されているので、容易に行い得る。即ち、体型や身長が相違する多くの被介護者Ａに容易に対応できる。なお、エアー袋体１…は、ゴム等の変形容易な材質にて形成されているので、エアーが入っていない状態では、被介護者Ａの身体のラインに沿って変形する。これにより、被介護者Ａの身体を部分的に強く圧迫しないようになっている。
【００２１】
次に、制御手段３と接続されたデータ読取部７に、記録片６の（予め記録された）被介護者Ａ専用の治療データを読み取らせる。
すると、治療データに基いて、被介護者Ａに合った条件が設定される。
そして、被介護者Ａに合った条件に従って各エアー袋体１にエアーが供給され、被介護者Ａの床ずれ発生予想部位（両踵部ｆ，骨盤部ｇ，肩甲骨部ｈ，後頭上部ｉ）を所定時間ｔ毎に上昇・下降させる。なお、床ずれ防止のために各エアー袋体１へエアーが供給される際には、エアー袋体１は最大まで膨張することはなく、わずかに膨張して、被介護者Ａの身体を緩やかに持ち上げるようにしている（図６の２点鎖線参照）。これにより、エアー袋体１の動作によって被介護者Ａの身体に大きな負担をかけないようになっている。
【００２２】
次に、図２及び図７に示すように、被介護者Ａが食事をしたり、ＴＶ観賞や読書をする際には、制御手段３にてモードを切換え、背中部ｄと後頭下部ｅのエアー袋体１ｄ，１ｅのみを膨張させる。特に、後頭下部ｅのエアー袋体１ｅを大きく膨張させるようにする。後頭下部ｅのエアー袋体１ｅは、全てのエアー袋体１…の中で最も大きく形成されているので、被介護者Ａの上半身は大きく起き上がる。この際、被介護者Ａは、腹筋や背筋に力を入れる必要もなく楽に起き上がることができる。そして、楽な姿勢で、食事をしたりＴＶ観賞や読書をすることができる。
【００２３】
次に、図２及び図８に示すように、被介護者Ａのオムツ交換をする際には、制御手段３にてモードを切換え、大腿部ｂと腰部ｃのエアー袋体１ｂ，１ｃのみを大きく膨張させる。すると、被介護者Ａの腰部（骨盤部ｇ）は大きく持ち上がり、大腿部ｂのエアー袋体１ｂと腰部ｃのエアー袋体１ｃとの間に大きな隙間40が生じる。そして、この隙間40に手を入れて被介護者Ａのオムツ交換をする。
【００２４】
なお、被介護者Ａが食事をしたり、ＴＶ観賞や読書をする際には、背中部ｄと後頭下部ｅのエアー袋体１ｄ，１ｅのみを大きく膨張させ、被介護者Ａのオムツ交換をする際には、大腿部ｂと腰部ｃのエアー袋体１ｂ，１ｃのみを大きく膨張させていたが、脹脛部ａのエアー袋体１ａのみを大きく膨張させた場合には、図９に示すように、被介護者Ａの床ずれの初発部位である両踵部ｆを大きく持ち上げることができる。
【００２５】
次に、図10〜図12に於て、本発明の第２の実施の形態に係るベッドを示す。
第２実施形態に係るベッドでは、第１実施形態とエアー袋体１の配置位置が異なる場合を例示している。具体的には、第２実施形態では、各床ずれ発生予想部位には、エアー袋体１が左右一対配置され、左右一対のエアー袋体１，１の夫々が独立して膨縮自在になるように構成している。これら左右一対のエアー袋体１，１は、一体状となって、連結エアー袋体11を構成している。具体的には、連結エアー袋体11は、筒部８と、筒部８の左右の開口端を塞ぐ端壁部９，９と、筒部８の内部を仕切る中壁部10と、を有しており、中壁部10の両側に２つの部屋が形成されている。そして、各部屋を形成する部分をもってエアー袋体１としている。連結エアー袋体11は、第１実施形態のエアー袋体１と同様、マット部21に面状ファスナ５にて着脱自在に取着されるようになっており、連結エアー袋体11には、面状ファスナ５の掛止部５ａが付設されている。
【００２６】
連結エアー袋体11の一方側の端壁部９には、２本の空圧ライン39ａ，39ｂが接続されている。一方の空圧ライン39ａは、空圧ライン39ａ，39ｂが接続されている側の端壁部９を挟んですぐ隣のエアー袋体１と導通しているが、他方の空圧ライン39ｂは、そのエアー袋体１を貫通して中壁部10に接続されている。こうして、空圧ライン39ａと，空圧ライン39ｂの夫々にエアーを通して、左右一対のエアー袋体１，１の夫々が独立して膨縮自在になるように構成されている。
このように、第２実施形態では、各床ずれ発生予想部位に左右一対のエアー袋体１，１を配置しているので、図12に示すように、左右一対のエアー袋体１，１の一方を収縮させると共に他方を膨張させることで、被介護者Ａの身体を左右に傾けることが可能とされている。また、左右一対のエアー袋体１，１は一体状となって、連結エアー袋体11を構成していることにより、左右一対のエアー袋体１，１を夫々独立して形成する場合と比較して、マット部21に対する着脱が容易なものとなっている。
その他の構成は、第１実施形態と同様である。
【００２７】
なお、本発明は、上述の実施の形態に限定されず、本発明の要旨を逸脱しない範囲で設計変更可能である。例えば、本実施形態では、エアー袋体１の配置部位が、被介護者Ａの仰臥状態での脹脛部ａ，大腿部ｂ，腰部ｃ，背中部ｄ，後頭下部ｅから成る場合を例示したが、本発明はこれに限らず、エアー袋体１…の配置部位を、これらの内から２箇所以上の組合せを選択して成るようにするのも好ましい。
【００２８】
また、本実施形態のベッドは、マッサージ機能を有していなかったが、本発明はこれに限らず、マッサージ機能を付加することによって、被介護者Ａの床ずれを防止するだけでなく、被介護者Ａにマッサージによるリラックス効果を与えるようにしてもよい。このように構成すれば、熱と揉み，振動等で複合的に被介護者Ａを癒すことができ、より被介護者Ａのストレスを和らげることができる。
【００２９】
また、本実施形態では、遠赤外線発生部４が、遠赤外線輻射熱を利用する板状のヒーターであり、波長９〜10μｍの遠赤外線が使用される場合を例示したが、本発明はこれに限らず、種々の材料を用いて形成した種々の遠赤外線発生装置を使用して、輻射熱による血液の滞留防止と循環促進を図るも好ましい。例えば、炭化ジルコニウム等の放射性元素を含む繊維の練り込みまたは織り込みにより形成した遠赤外線発生装置や、チタン鉱石，ラジウム鉱石，ラドン鉱石，ゲルマニウム鉱石，トルマリン鉱石等の鉱石を用いて形成した遠赤外線発生装置、放射性元素を含有するセラミックスを用いて形成した遠赤外線発生装置を使用するも好ましい。
また、通常のニクロム線の温熱方式による温熱装置や、オンドル方式の暖房装置や、低周波通電装置を設けて、血液の滞留防止と循環促進を図るも好ましい。また、遠赤外線発生特殊スポンジに磁鉄鉱を加えることにより、磁力による治療効果が得られるように構成してもよい。
【００３０】
以上のように本発明に係るベッドは、ベッド幅方向に相互に平行に配置される複数本の膨縮自在なエアー袋体１と、エアー袋体１へ所定時間ｔ毎に圧縮エアーを供給排気させてエアー袋体１を膨張・収縮させるエアー供給排気手段２と、エアー供給排気手段２の制御を行う制御手段３と、を備え、さらに、エアー袋体１は、膨張状態が円柱形となるように形成され、被介護者Ａの床ずれ発生予想部位を所定時間ｔ毎に上昇・下降させるように構成したので、健康な人の体動をまねて所定時間ｔ毎に寝たきり状態の被介護者Ａの体位の変換を行うことができ、床ずれの発生を防止することができる。
また、エアー袋体１…を、膨張状態が円柱形となるように形成することによって、エアー袋体１を、球形や短冊形に形成する場合と比較して、形状が単純であり、安価に製作できる。
【００３１】
また、エアー袋体１…の配置部位が、被介護者Ａの仰臥状態での脹脛部ａ，大腿部ｂ，腰部ｃ，背中部ｄ，後頭下部ｅから成るので、被介護者Ａの床ずれ好発部位に広く対応して床ずれ防止の機能を働かせ得る。
【００３２】
また、複数本のエアー袋体１…のうち、後頭下部ｅのエアー袋体１は大径、大腿部ｂ，腰部ｃ，背中部ｄのエアー袋体１は中径、脹脛部ａのエアー袋体１は小径であり、後頭下部ｅのエアー袋体１は、被介護者Ａの上半身起こし用に兼用され、大腿部ｂ及び腰部ｃのエアー袋体１は、被介護者Ａのオムツ交換時の腰部持ち上げ作動用に兼用されているので、食事，ＴＶ観賞，オムツ交換の度に被介護者Ａの身体を持ち上げねばならなかった従来とは異なり、介護者は被介護者Ａの身体を持ち上げる必要がない。これにより、介護者の労働を軽減することができる。
【００３３】
また、被介護者Ａが食事，ＴＶ観賞をする際には、後頭下部ｅのエアー袋体１は大径なので、被介護者Ａの上半身を容易かつ大きく起き上がらせることができる。また、被介護者Ａのオムツ交換をする際には、大腿部ｂと腰部ｃに配置されたエアー袋体１ｂ，１ｃにより、被介護者Ａの腰部（骨盤部ｇ）を大きく持ち上げ、大腿部ｂのエアー袋体１ｂと腰部ｃのエアー袋体１ｃとの間に大きな隙間40を形成することができ、オムツ交換が容易である。また、被介護者Ａの身体を持ち上げる際、従来のようなモータやリンク機構を必要とせず、構造が簡単である。
また、床ずれ防止機能とオムツ交換機能、若しくは、床ずれ防止機能と上半身起こし機能というように、同じエアー袋体１…に複数の機能を盛り込むことによって、エアー袋体１…をより活用でき、ベッドの全体構造も簡単になる。
【００３４】
また、隣合うエアー袋体１，１間に、遠赤外線発生部４を配置することによって、被介護者Ａの交感神経と副交感神経とのバランスを調節して被介護者Ａにリラックス効果を与え、被介護者Ａのストレスを和らげることができる。また、被介護者Ａの体内に蓄積された老廃物を汗と共に排出させることができ、血行や代謝を促進させることができる。さらに、複数の場所に遠赤外線発生部４…を配置することによって、被介護者Ａの交感神経と副交感神経とのバランス調節をより広範囲で同時に行うことができ、被介護者Ａにリラックス効果をすぐに与えることができる。
【００３５】
また、所定時間ｔが、15分〜30分の範囲に設定されているので、人間の体動の原理に基づいて適切に被介護者Ａの体位の変換を行うことができ、床ずれの発生を効果的に防止し得る。
【００３６】
また、各床ずれ発生予想部位には、エアー袋体１が左右一対配置され、左右一対のエアー袋体１，１の夫々が独立して膨縮自在になるように構成するので、左右一対のエアー袋体１，１の一方を収縮させると共に他方を膨張させることで、被介護者Ａの身体を左右に容易に傾けることができる。これにより、被介護者Ａの身体に付着した汚れをとるために介護者が被介護者Ａの身体を濡れタオルで拭く等する際に、介護者の労働を軽減することができる。
【００３７】
また、各々の被介護者Ａに合わせて予め有資格者Ｂにより入力されて作成された治療データを記録する記録片６と、記録片６が接近又は挿入されることで記録片６の治療データを読取可能なデータ読取部７と、を備え、制御手段３が、データ読取部７にて読み取った記録片６の治療データに基いてエアー袋体１の作動制御を行うように構成したので、医療機具として、被介護者Ａの好みに合い、かつ、専門的に判断しても適切な条件でエアー袋体１…を作動させることができ、被介護者Ａの床ずれの発生を確実に防止できる。
また、記録片６に種々の設定条件や患者情報を含む治療データを記録するので、被介護者Ａが別の病室に移動した場合、別の病室に設置された本発明に係る別のベッドに於いて細かい条件設定作業を最初から行わなくてすむ。
【図面の簡単な説明】
【００３８】
【図１】本発明の第１の実施の形態に係るベッドを示す斜視図である。
【図２】平面図である。
【図３】要部断面側面図である。
【図４】エアー袋体及びそのエアー袋体が取着される部分を示す斜視図である。
【図５】制御手段の表示部の説明図である。
【図６】エアー袋体の動きを説明するための要部断面側面図である。
【図７】エアー袋体の動きを説明するための要部断面側面図である。
【図８】エアー袋体の動きを説明するための要部断面側面図である。
【図９】エアー袋体の動きを説明するための要部断面側面図である。
【図１０】本発明の第２の実施の形態に係るベッドを示す平面図である。
【図１１】連結エアー袋体及びその連結エアー袋体が取着される部分を示す斜視図である。
【図１２】エアー袋体の動きを説明するための要部側面図である。
【符号の説明】
【００３９】
１  エアー袋体
２  エアー供給排気手段
３  制御手段
４  遠赤外線発生部
５  面状ファスナ
５ａ  掛止部
５ｂ  被掛止部
６  記録片
７  データ読取部
11  連結エアー袋体
20  ベッド本体
21  マット部
22  フレーム部
Ａ  被介護者
Ｂ  有資格者
ａ  脹脛部
ｂ  大腿部
ｃ  腰部
ｄ  背中部
ｅ  後頭下部
ｔ  所定時間
【図１】
0004637754.tif 000002
【図２】
0004637754.tif 000003
【図３】
0004637754.tif 000004
【図４】
0004637754.tif 000005
【図５】
0004637754.tif 000006
【図６】
0004637754.tif 000007
【図７】
0004637754.tif 000008
【図８】
0004637754.tif 000009
【図９】
0004637754.tif 000010
【図１０】
0004637754.tif 000011
【図１１】
0004637754.tif 000012
【図１２】
0004637754.tif 000013